(57)【特許請求の範囲】
【請求項１】
給湯器本体とリモコン装置とが有線接続された給湯器において、
同給湯器本体は、第１の電圧を発生する第１電源と、同第１の電圧より小さい第２の電圧を発生する第２電源とを有しており、
同給湯器本体の運転時には、前記リモコン装置側に前記第１の電圧を供給し、同給湯器本体の運転停止時または所定時間以上の運転待機時には、前記リモコン装置側に前記第２の電圧を供給すると共に、本体制御装置により同給湯器本体に設けた通電不要な所定の本体回路への前記第１の電圧の通電を停止させる省電力制御にし、
前記リモコン装置に前記第２の電圧が供給されたことに応じて、同リモコン装置内に設けた通電不要な所定のリモコン回路への通電を停止させる省電力制御にするリモコン制御装置を設け、
前記給湯器本体の運転時には、同給湯器本体側の本体通信手段が前記リモコン装置側のリモコン通信手段からの信号を選択して受け入れる通信方式とし、同給湯器本体の運転停止時または所定時間以上の運転待機時には、前記リモコン通信手段から前記本体通信手段に信号を送信開始できる通信方式とすることを特徴とする給湯器。
【請求項２】
給湯器本体とリモコン装置とが有線接続された給湯器において、
同給湯器本体は、第１の電圧を発生する第１電源と、同第１の電圧より小さい第２の電圧を発生する第２電源とを有しており、
同給湯器本体の運転時には、前記リモコン装置側に前記第１の電圧を供給し、同給湯器本体の運転停止時または所定時間以上の運転待機時には、前記リモコン装置側に前記第２の電圧を供給すると共に、本体制御装置により同給湯器本体に設けた通電不要な所定の本体回路への前記第１の電圧の通電を停止させる省電力制御にし、
前記リモコン装置に前記第２の電圧が供給されたことに応じて、同リモコン装置内に設けた通電不要な所定のリモコン回路への通電を停止させる省電力制御にするリモコン制御装置を設け、
前記リモコン装置に前記第１の電圧が供給されたことに応じて、前記リモコン制御装置により、前記リモコン回路への通電を開始させるようにしたことを特徴とする給湯器。
【発明の詳細な説明】
【０００１】
【発明の属する技術分野】
本発明は、給湯器に関する。
【０００２】
【従来の技術及び発明が解決しようとする課題】
従来、給湯器においては、運転指令が出されていない運転停止状態のときや、また運転指令が出されていても、水流スイッチのオン等による燃焼動作が開始されない運転待機状態が所定時間以上続いた場合のように、主要な回路への通電が必要ないような場合でも通電が行われており、それに伴い一定の電力消費が行われている。しかし、このような不要な通電は、電力の浪費であると共に、給湯器の使用者にとって電気料金がかさみ非常に無駄であった。
本発明は、上記した問題を解決しようとするもので、実質的に燃焼動作が行われていない場合には、電力消費を抑制できる給湯器を提供することを目的とする。
【０００３】
【課題を解決するための手段及び発明の効果】
上記目的を達成するために上記請求項１に係る発明の構成上の特徴は、給湯器本体とリモコン装置とが有線接続された給湯器において、給湯器本体は、第１の電圧を発生する第１電源と、第１の電圧より小さい第２の電圧を発生する第２電源とを有しており、
給湯器本体の運転時には、リモコン装置側に第１の電圧を供給し、給湯器本体の運転停止時または所定時間以上の運転待機時には、リモコン装置側に第２の電圧を供給すると共に、本体制御装置により給湯器本体に設けた通電不要な所定の本体回路への第１の電圧の通電を停止させる省電力制御にし、リモコン装置に第２の電圧が供給されたことに応じて、リモコン装置内に設けた通電不要な所定のリモコン回路への通電を停止させる省電力制御にするリモコン制御装置を設け、給湯器本体の運転時には、給湯器本体側の本体通信手段がリモコン装置側のリモコン通信手段からの信号を選択して受け入れる通信方式とし、給湯器本体の運転停止時または所定時間以上の運転待機時には、リモコン通信手段から本体通信手段に信号を送信開始できる通信方式とすることにある。
【０００４】
上記のように請求項１に係る発明を構成したことにより、給湯器本体の運転停止時または所定時間以上の運転待機時には、通電の不要な本体回路への通電が停止され、かつリモコン装置側に第１の電圧より小さい第２の電圧を供給することにより給湯器本体側が省電力制御にあることをリモコン装置側に簡単に伝達できる。その結果、通電の不要な給湯器本体の運転停止時等においては、無駄な電力消費を避けることができ、省電力効果が得られると共に電気料金の負担が軽減される。また、本発明においては、リモコン装置側でも省電力を図ることができ、給湯器全体として大きな省電力効果が得られる。さらに、本発明においては、省電力制御時に、リモコン装置側から、必要時に省電力制御を解除する指令を送信でき便利である。
【０００５】
また、上記請求項２に係る発明の構成上の特徴は、給湯器本体とリモコン装置とが有線接続された給湯器において、給湯器本体は、第１の電圧を発生する第１電源と、第１の電圧より小さい第２の電圧を発生する第２電源とを有しており、給湯器本体の運転時には、リモコン装置側に第１の電圧を供給し、給湯器本体の運転停止時または所定時間以上の運転待機時には、リモコン装置側に第２の電圧を供給すると共に、本体制御装置により給湯器本体に設けた通電不要な所定の本体回路への第１の電圧の通電を停止させる省電力制御にし、リモコン装置に第２の電圧が供給されたことに応じて、リモコン装置内に設けた通電不要な所定のリモコン回路への通電を停止させる省電力制御にするリモコン制御装置を設け、リモコン装置に第１の電圧が供給されたことに応じて、リモコン制御装置により、リモコン回路への通電を開始させるようにしたことにある。
【０００６】
上記のように請求項２に係る発明を構成したことにより、給湯器本体の運転停止時または所定時間以上の運転待機時には、通電の不要な本体回路への通電が停止され、かつリモコン装置側に第１の電圧より小さい第２の電圧を供給することにより給湯器本体側が省電力制御にあることをリモコン装置側に簡単に伝達できる。その結果、通電の不要な給湯器本体の運転停止時等においては、無駄な電力消費を避けることができ、省電力効果が得られると共に電気料金の負担が軽減される。また、本発明においては、リモコン装置側でも省電力を図ることができ、給湯器全体として大きな省電力効果が得られる。さらに、本発明においては、給湯器本体側の省電力制御状態が解除されると、これに応じてリモコン装置側から省電力制御状態を直ちに解除することができる。
【０００７】
【発明の実施の形態】
以下、本発明の一実施形態を図面を用いて説明すると、図１は、同実施形態である給湯器の回路構成をブロック図により示したものである。
給湯器は、給湯器本体１０と、給湯器本体１０に通信ケーブルＷにより接続されたリモコン装置２０とを備えている。給湯器本体１０は、交流電源Ｓに接続されて電圧Ｖ1 を発生する第１電源１１と、電圧Ｖ1 より低い電圧Ｖ2 を発生する第２電源１２を有している。第１電源１１は、入力側が制御スイッチ１３を介して交流電源Ｓに接続されている。第１電源１１の出力側は、ダイオードＤ1及び交流遮断用コイルＬ1 を介して通信ケーブルＷの一端側に接続されており、またガス電磁弁、ファンモータ等の燃焼動作に使用される主要回路１４に接続されている。第２電源１２の出力側は、ダイオードＤ2及び交流遮断用コイルＬ1 を介して通信ケーブル接続端子に接続されており、また本体制御回路１５に接続されている。本体制御回路１５は、制御スイッチ１３の制御端子１３ａ及び主要回路１４に接続されている。また、本体通信部１６は、通信ケーブル接続端子に接続されると共に、本体制御回路１５に接続されて信号の授受が行われる。
【０００８】
リモコン装置２０は、通信ケーブルＷの他端側に接続されており、他端側には接続の極性を是正するダイオードブリッジ２１が接続されている。リモコン装置２０は、電圧Ｖ3を発生する第３電源２２と、電圧Ｖ4 を発生する第４電源２３を有している。第３電源２２は、入力側が制御スイッチ２４及び交流遮断用コイルＬ2 を介してダイオードブリッジ２１に接続されている。第３電源２２の出力側は、表示回路等の主要回路２５に接続されている。第４電源２３の入力側は、交流遮断用コイルＬ2を介してダイオードブリッジ２１に接続されており、出力側は、リモコン制御回路２６に接続されている。リモコン制御回路２６は、入力側がコイルＬ2 、第４電源２３及び操作スイッチ２７に接続されており、出力側は制御スイッチ２４の制御端子２４ａに接続されている。また、リモコン通信部２８は、ダイオードブリッジ２１に接続されると共に、リモコン制御回路２６に接続されて信号の授受が行われる。
【０００９】
上記本体制御回路１５及びリモコン制御回路２６は、ＣＰＵ，ＲＯＭ，ＲＡＭ，Ｉ／Ｏ等からなるマイクロコンピュータにより構成されており、本体制御回路１５は、図２に示すフローチャートに対応した「運転状態判定プログラム」を実行すると共に、図３に示すフローチャートに対応した「本体通電制御プログラム」の割り込み実行を行う。また、リモコン制御回路２６は、本体制御回路１５との協動により、図４に示す「リモコン通電制御プログラム」を実行する。
【００１０】
次に、上記のように構成した実施形態の動作について説明する。
まず、本体制御回路１５は、図２に示す「運転状態判定プログラム」の実行をステップ３０にて開始する。ここで、リモコン装置２０の操作スイッチ２７により運転要求が入力されると、リモコン通信部２８から本体通信部１６に信号が送られる。これに基づき本体制御回路１５は、ステップ３１にて「ＹＥＳ」との判定の基にプログラムをステップ３２に移し、省電力モードフラグＳＤＭを通常モードを示す「０」にする。なお、ＳＤＭ＝１は省電力モードであることを示す。
【００１１】
一方、本体制御回路１５は、図３に示す「本体通電制御プログラム」をステップ５０にて開始し、ステップ５１にて省電力モードフラグＳＤＭが「０」か否かを判定する。ここではＳＤＭ＝０なので「ＹＥＳ」との判定の基にプログラムはステップ５２に移され、制御スイッチ１３がオンにされ、それにより第１電源１１からの電圧Ｖ1 が主要回路１４に供給される。また、電圧Ｖ1 は通信ケーブルＷを通して、リモコン装置２０のリモコン制御回路２６に供給される。さらに、ステップ５３にて通信方式が給湯器本体主体の制御になる。すなわち、本体通信部１６がリモコン通信部２８からの信号を順次選択して受け入れる方式である。
【００１２】
同時に、リモコン装置２０のリモコン制御回路２６は、図４に示す「リモコン通電制御プログラム」をステップ６０にて開始し、ステップ６１にて供給電圧がＶR （Ｖ1 ＞ＶR ＞Ｖ2 ）以上であるかを判定する。上記のように供給電圧はＶR 以上なので、「ＹＥＳ」との判定の基にプログラムはステップ６２に移され、制御スイッチ２４がオンにされ、それにより第３電源２２からの電圧Ｖ3が主要回路２５に供給される。さらに、ステップ６３にて通信方式が上記給湯器本体主体の制御にされる。
【００１３】
上記リモコン装置２０の操作スイッチ２７により運転要求が入力された後、水流スイッチがオンされ、給湯器の燃焼制御が行われると、「運転状態判定プログラム」のステップ３３にて待機状態ではないことに応じて「ＮＯ」との判定の基にプログラムはステップ３１に戻される。ここで、直ちに燃焼制御に移らないときには、給湯器は待機状態に移行する。すなわち、ステップ３３にて「ＹＥＳ」との判定の基にプログラムはステップ３４に移され、タイマがスタートし、ステップ３５にて時間Ｔ1 が経過か否かが判定される。時間Ｔ1 の経過前には、省電力モードフラグＳＤＭ＝０すなわち通常状態であり、その間、待機状態が終了したか否かが判定される（ステップ３６）。時間Ｔ1の経過前に水流スイッチがオンになる等により待機状態が終了する、ステップ３６にて「ＮＯ」との判定の基にプログラムはステップ３１に戻され、以下のステップの処理が行われる。
【００１４】
待機状態が時間Ｔ1 以上継続すると、ステップ３５にて「ＹＥＳ」との判定の基にステップ３７に移され、省電力モードにされる。すなわち、省電力モードフラグＳＤＭ＝１にされ、さらに、待機状態が終了したか否かが判定される（ステップ３８）。給湯器が省電力モードにされたことにより、本体制御回路１５は、「本体通電制御プログラム」のステップ５１にて「ＮＯ」との判定の基にプログラムをステップ５４に移し、制御スイッチ１３をオフにする。それにより第１電源１１からの電圧Ｖ1の主要回路１４への供給が遮断される。また、電圧Ｖ1 は通信ケーブルＷへの経路が遮断され、電圧Ｖ2 が通信ケーブルＷを通して、リモコン装置２０のリモコン制御回路２６に供給される。さらに、ステップ５５にて通信方式がリモコン装置主体の制御になる。すなわち、リモコン通信部２８から必要時に本体通信部１６に信号が送られる方式にされる。
【００１５】
同時に、リモコン装置２０のリモコン制御回路２６は、供給電圧がＶR 以下であることに応じて図４に示すステップ６１にて「ＮＯ」との判定の基にプログラムはステップ６４に移され、制御スイッチ２４がオフにされ、それにより第３電源２２からの電圧Ｖ3の主要回路２５への供給が遮断される。さらに、ステップ６５にて通信方式が上記リモコン装置主体の制御にされる。
【００１６】
なお、リモコン装置２０の操作スイッチ２７により運転要求が入力されない運転停止時においては、ステップ３１にて「ＮＯ」との判定の基にプログラムがステップ３９に移され、省電力モードフラグＳＤＭが省電力モードを示す「１」にされる。その結果、上記したように給湯器本体１０及びリモコン装置２０において省電力制御が行われる。
【００１７】
以上に説明したように、上記実施形態においては、給湯器本体１０の運転停止時または所定時間以上の運転待機時には、通電の不要な主要回路１４への通電が停止される。さらに、リモコン装置２０側に電圧Ｖ1 より小さい電圧Ｖ2 を供給することにより給湯器本体１０側が省電力制御にあることをリモコン装置２０側に伝達でき、これに応じて、リモコン制御回路２６により通電の不要な主要回路２５への通電が停止される。その結果、給湯器本体１０の運転停止時等においては、給湯器本体１０及びリモコン装置２０における無駄な電力消費を避けることができ、省電力効果が得られると共に電気料金の負担が軽減される。また、省電力制御時に、リモコン装置２０側から、必要時に省電力制御を解除する指令を送信でき便利である。
なお、リモコン装置２０に給湯器本体１０から電圧Ｖ1 が供給されたことに応じて、リモコン制御回路２６により、主要回路２５への通電を開始させることができる。
【００１８】
つぎに、上記実施形態の変形例について説明する。
実施形態においては、給湯器が省電力モード時には、本体通信部１７がリモコン通信部２８からの信号を順次受け入れる本体主体の通信方式から、リモコン通信部２８から必要時に本体通信部１７に信号を送ることができるリモコン主体の通信方式に切り替えることにしているが、本体主体の通信方式のみ採用するようにしてもよい。
【００１９】
つぎに、参考例について説明すると、図５は、同参考例である給湯器の回路構成をブロック図により示したものである。
給湯器は、給湯器本体７０と、給湯器本体７０に通信ケーブル３０により接続されたリモコン装置８０とを備えている。給湯器本体７０は、交流電源Ｓに接続されて電圧Ｖ5 を発生する第５電源７１を有している。第５電源７１の出力側は、交流遮断用コイルＬ３を介して通信ケーブルＷの一端側に接続されている。また、第５電源７１の出力側は、制御スイッチ７２を介して、ガス電磁弁、ファンモータ等の燃焼動作に使用される主要回路７３に接続されている。さらに、第５電源７１の出力側は、本体制御回路７４に接続されている。本体制御回路７４は、制御スイッチ７２の制御端子７２ａに接続されている。また、本体通信部７５は、通信ケーブルＷの接続端子に接続されると共に、本体制御回路７４に接続されて信号の授受が行われる。
【００２０】
リモコン装置８０は、通信ケーブルＷの他端側に接続されており、他端側には接続の極性を是正するダイオードブリッジ８１が接続されている。リモコン装置８０は、電圧Ｖ6を発生する第６電源８２を有している。第６電源８２は、入力側が交流遮断用コイルＬ４を介してダイオードブリッジ８１に接続されている。第６電源８２の出力側は、制御スイッチ８３を介して表示回路等の主要回路８４に接続されている。また、第６電源８２の出力側は、リモコン制御回路８５に接続されている。リモコン制御回路８５は、入力側には操作スイッチ８６が接続されており、出力側には制御スイッチ８３の制御端子８３ａが接続されている。また、リモコン通信部８７は、ダイオードブリッジ８１に接続されると共に、リモコン制御回路８５に接続されて信号の授受が行われる。
【００２１】
上記本体制御回路７４及びリモコン制御回路８５は、ＣＰＵ，ＲＯＭ，ＲＡＭ，Ｉ／Ｏ等からなるマイクロコンピュータにより構成されており、本体制御回路７４は、図２に示すフローチャートに対応した「運転状態判定プログラム」を実行すると共に、図６に示すフローチャートに対応した「第２本体通電制御プログラム」の割り込み実行を行う。また、リモコン制御回路８５は、本体制御回路７４との協動により、図７に示す「第２リモコン通電制御プログラム」を実行する。
【００２２】
次に、上記のように構成した参考例の動作について説明する。
まず、本体制御回路７４は、図２に示す「運転状態判定プログラム」の実行をステップ３０にて開始する。リモコン装置８０の操作スイッチ８６により運転要求が入力されると、リモコン通信部８７から本体通信部７５に信号が送られる。これに基づき本体制御回路７４は、ステップ３１にて「ＹＥＳ」との判定の基にプログラムをステップ３２に移し、省電力モードフラグＳＤＭを通常モードを示す「０」にする。なお、ＳＤＭ＝１は省電力モードであることを示す。
【００２３】
一方、本体制御回路７４は、図６に示す「第２本体通電制御プログラム」をステップ９０にて開始し、ステップ９１にて省電力モードフラグＳＤＭが「０」か否かを判定する。ここではＳＤＭ＝０なので「ＹＥＳ」との判定の基にプログラムはステップ９２に移され、本体通信部７５により通常状態であるとのデータをリモコン通信部８７に送信させるように制御する。つづいて、ステップ９３にて制御スイッチ７２がオンにされ、それにより第５電源７１からの電圧Ｖ5 が主要回路７３に供給される。
【００２４】
同時に、リモコン装置８０のリモコン制御回路８５は、図７に示す「第２リモコン通電制御プログラム」をステップ１００にて開始し、ステップ１０１にて省電力モードのデータを受信したか否かを判定する。上記のように通常状態であるとのデータが送信されているので、「ＮＯ」との判定の基にプログラムはステップ１０２に移され、制御スイッチ８３がオンにされ、それにより第６電源８２からの電圧Ｖ6 が主要回路８４に供給される。
【００２５】
上記リモコン装置８０の操作スイッチ８６により運転要求が入力された後、水流スイッチがオンされ、給湯器の燃焼制御が開始されると、「運転状態判定プログラム」においてステップ３３にて待機状態ではないことに応じて「ＮＯ」との判定の基にプログラムはステップ３１に戻される。ここで、直ちに燃焼制御に移らないときには、給湯器は待機状態に移行する。すなわち、ステップ３３にて「ＹＥＳ」との判定の基にプログラムはステップ３４に移され、タイマがスタートし、ステップ３５にて時間Ｔ1 が経過下か否かが判定される。時間Ｔ1 の経過前には、省電力モードフラグＳＤＭ＝０すなわち通常状態であり、その間、待機状態が終了したか否かが判定される（ステップ３６）。時間Ｔ1の経過前に水流スイッチがオンになる等により待機状態が終了すると、ステップ３６にて「ＮＯ」との判定の基にプログラムはステップ３１に戻され、以下のステップの処理が行われる。
【００２６】
待機状態が時間Ｔ1 以上継続すると、ステップ３５にて「ＹＥＳ」との判定の基にステップ３７に移され、省電力モードにされる。すなわち、省電力モードフラグＳＤＭ＝１にされ、さらに、待機状態が終了したか否かが判定される（ステップ３８）。給湯器が省電力モードにされたことにより、本体制御回路７４は、「第２本体通電制御プログラム」のステップ９１にて「ＮＯ」との判定の基にプログラムをステップ９４に移し、本体通信部７５により省電力モードであるとのデータをリモコン通信部８７に送信させるように制御する。つづいて、ステップ９５にて制御スイッチ７２がオフにされ、それにより第５電源７１からの電圧Ｖ5の主要回路７３への供給が遮断される。
【００２７】
同時に、リモコン装置８０のリモコン制御回路８５は、省電力モードであるとのデータを受信したことにより、ステップ１０１にて「ＹＥＳ」との判定の基にプログラムはステップ１０３に移され、制御スイッチ８３がオフにされ、それにより第６電源８２からの電圧Ｖ6 の主要回路８４への供給が遮断される。その後、プログラムはステップ１０１に戻され、以下のステップの処理が繰り返される。
【００２８】
なお、リモコン装置８０の操作スイッチ８６により運転要求が入力されない運転停止時においては、ステップ３１にて「ＮＯ」との判定の基にプログラムがステップ３９に移され、省電力モードフラグＳＤＭが省電力モードを示す「１」にされる。その結果、上記したように給湯器本体７０及びリモコン装置８０において省電力制御が行われる。
【００２９】
以上に説明したように、参考例においては、給湯器本体７０の運転停止時または所定時間以上の運転待機時には、通電の不要な主要回路７３への通電が停止され、かつリモコン装置８０側に省電力モードであることを示すデータを送信することによりリモコン装置８０の通電不要な主要回路８４への通電を停止させるようにした。そのため、給湯器本体７０の運転停止時等においては、給湯器本体７０及びリモコン装置８０における無駄な電力消費を避けることができ、省電力効果が得られると共に電気料金の負担が軽減される。
【図面の簡単な説明】
【図１】本発明の一実施形態である給湯器の回路構成を概略的に示すブロック回路図である。
【図２】図１の本体制御回路により実行される「運転状態判定プログラム」のフローチャートである。
【図３】本体制御回路により割り込み実行される「本体通電制御プログラム」のフローチャートである。
【図４】図１のリモコン制御回路により実行される「リモコン通電制御プログラム」のフローチャートである。
【図５】参考例である給湯器の回路構成を概略的に示すブロック回路図である。
【図６】図５の本体制御回路により実行される「第２本体通電制御プログラム」のフローチャートである。
【図７】図５のリモコン制御回路により実行される「第２リモコン通電制御プログラム」のフローチャートである。
【符号の説明】
１０…給湯器本体、１１…第１電源、１２…第２電源、１３…制御スイッチ、１４…主要回路、１５…本体制御回路、１６…本体通信部、２０…リモコン装置、２１…ダイオードブリッジ、２２…第３電源、２３…第４電源、２４…制御スイッチ、２５…主要回路、２６…リモコン制御回路、２７…操作スイッチ、２８…リモコン通信部、７０…給湯器本体、７１…第５電源、７２…制御スイッチ、７３…主要回路、７４…本体制御回路、７５…本体通信部、８０…リモコン装置、８１…ダイオードブリッジ、８２…第６電源、８３…制御スイッチ、８４…主要回路、８５…リモコン制御回路、８６…操作スイッチ、８７…リモコン通信部、Ｓ…交流電源、Ｗ…通信ケーブル。
【図１】
0003793819.tif 000002
【図２】
0003793819.tif 000003
【図３】
0003793819.tif 000004
【図４】
0003793819.tif 000005
【図５】
0003793819.tif 000006
【図６】
0003793819.tif 000007
【図７】
0003793819.tif 000008